(57)【要約】  少なくとも１つのケーブルガイドおよびケーブルダクトを有するエンクロージャを含むプリント回路基板（ＰＣＢ）を通すケーブルを配策する装置および方法。ＰＣＢはエンクロージャに搭載され、ケーブルダクトがＰＣＢの穴を通ってＰＣＢを貫通している。少なくとも１つの追加の構成要素は、エンクロージャに搭載され、少なくとも１つのケーブルガイドおよびケーブルダクトに取り付けられた少なくとも１本のケーブルに接続される。少なくとも１本のケーブルは、ＰＣＢの第１の面上のダクトに入り、ＰＣＢの第２の面上の第２の面上のダクトから出る。
2016537813.tif 000002
【特許請求の範囲】
【請求項１】
少なくともケーブルガイド（１０４）およびケーブルダクト（１０６）を備えたエンクロージャ（１０２）と、
前記エンクロージャに搭載されたプリント回路基板（ＰＣＢ）（２０２）であって、前記ケーブルダクトが前記ＰＣＢの穴（２０６）を通って前記ＰＣＢを貫通する、前記ＰＣＢと、
前記エンクロージャに搭載された少なくとも１つの追加の構成要素（２０８）と、
前記少なくとも１つの追加の構成要素に接続され、前記少なくとも１つのケーブルガイドおよび前記ケーブルダクトに取り付けられた少なくとも１本のケーブルであって、前記少なくとも１本のケーブルは、前記ＰＣＢの第１の面上の前記ダクトに入り、前記ＰＣＢの第２の面上の前記ダクトから出る、前記少なくとも１本のケーブルと、
を備えた装置。
【請求項２】
前記ダクトは、前記少なくとも１本のケーブルのためのダクト内部空間へのアクセスを提供する１つ以上の切欠き（１０７）を備えた、請求項１に記載の装置。
【請求項３】
前記切欠きは、前記少なくとも１本のケーブルの幅よりも狭くなるように先細るテーパリング幅を有する、請求項２に記載の装置。
【請求項４】
前記少なくとも１本のケーブルは、摩擦によって前記１つ以上の切欠きに固定される、請求項２に記載の装置。
【請求項５】
前記少なくとも１つの追加の構成要素は、アンテナ（２０８）を備える、請求項１に記載の装置。
【請求項６】
前記ケーブルは、接着剤および面ファスナーの一方を使用して前記ケーブルガイドに取り付けられる、請求項１に記載の装置。
【請求項７】
前記少なくとも１本のケーブルは、前記ＰＣＢの第２の面上の少なくとも１つの第２の構成要素（１１２）に取り付けられる、請求項１に記載の装置。
【請求項８】
少なくともケーブルガイド（１０４）およびケーブルダクト（１０６）を備えたエンクロージャ（１０２）であって、前記ダクトは、前記少なくとも１本のケーブルのためのダクト内部空間へのアクセスを提供する１つ以上の切欠き（１０７）を備える、前記エンクロージャと、
前記エンクロージャに搭載されたプリント回路基板（ＰＣＢ）（２０２）であって、前記ケーブルダクトが前記ＰＣＢの穴（２０６）を通って前記ＰＣＢを貫通する、前記ＰＣＢと、
前記エンクロージャに搭載されたアンテナ（２０８）と、
前記アンテナに接続され、前記少なくとも１つのケーブルガイドに取り付けられ、前記ダクト内部空間内を通る少なくとも１本のケーブルであって、前記少なくとも１本のケーブルは、前記ＰＣＢの第１の面上の前記ダクトに入り、前記ＰＣＢの第２の面上の前記ダクトから出て、前記少なくとも１本のケーブルは、摩擦によって前記１つ以上の切欠きに固定される、前記少なくとも１本のケーブルと、
を備える、セットトップボックス。
【請求項９】
前記切欠きは、前記少なくとも１本のケーブルの幅よりも狭くなるように先細るテーパリング幅を有する、請求項８に記載のセットトップボックス。
【請求項１０】
前記ケーブルは、接着剤および面ファスナーの一方を使用して前記ケーブルガイドに取り付けられる、請求項８に記載のセットトップボックス。
【請求項１１】
前記少なくとも１本のケーブルは、前記ＰＣＢの第２の面上の少なくとも１つの第２の構成要素（１１２）に取り付けられる、請求項８に記載のセットトップボックス。
【請求項１２】
少なくとも１つのケーブルダクトに沿って少なくとも１箇所に少なくとも１つのケーブルダクトに切れ目を入れて少なくとも１本のケーブル（１０８）のための少なくとも１つのケーブルガイド切欠き（１０７）を形成することにより形成された少なくとも１つのケーブルダクト（１０６）を含む少なくとも１つのケーブルガイド（１０４）を形成または提供するステップ（４０１）と、
前記少なくとも１つのケーブルを前記少なくとも１つのケーブルガイドおよび前記少なくとも１つのケーブルガイド切欠きに挿入するステップ（４０２）と、
プリント回路基板（２０２）を通る少なくとも１つのケーブルダクトホール（２０６）を形成または提供するステップ（４０３）と、
前記少なくとも１本のケーブルの第１の終端を電装品（２０８）に接続するステップ（４０４）と、
前記少なくとも１つのケーブルダクトを前記少なくとも１つのケーブルダクトホールに入れるように、前記プリント回路基板を装置に挿入するステップ（４０５）と、
前記少なくとも１本のケーブルの第２の終端を前記少なくとも１つのケーブルダクトに通すステップ（４０６）と、
エンクロージャ（１０２）内に、前記少なくとも１本のケーブル、前記少なくとも１つのケーブルガイド、前記プリント回路基板、前記少なくとも１つのケーブルダクトおよび前記電装品を配置するステップ（４０７）と、
を有する、装置を組み立てる方法。
【請求項１３】
前記エンクロージャは通風される、請求項１２に記載の方法。
【請求項１４】
前記少なくとも１本のケーブルの第２の終端を前記プリント回路基板上の第２の電装品（１１２）に接続するステップを有する、請求項１２に記載の方法。
【請求項１５】
前記装置をセットトップボックスとして作動可能にする複数のさらなる電装品を前記プリント回路基板上に格納するステップを有する、請求項１２に記載の方法。
【請求項１６】
前記セットトップボックスを電気的に動かすことを可能にするステップを有する、請求項１５に記載の方法。
【請求項１７】
前記電装品は、アンテナ（２０８）を含む、請求項１２に記載の方法。
【請求項１８】
前記少なくとも１本のケーブルを前記少なくとも１つのケーブルガイド切欠きに挿入するステップは、前記少なくとも１つのケーブルダクトの内部空間内に前記少なくとも１本のケーブルリードを有する前記少なくとも１本のケーブルの一部を折り畳むまたは巻き付けるステップを含む、請求項１２に記載の方法。
【請求項１９】
前記少なくとも１本のケーブルの第２の終端を前記プリント回路基板上の第２の電装品（１１２）に接続するステップであって、前記電装品は前記プリント回路基板上にない、請求項１８に記載の方法。
【発明の詳細な説明】
【技術分野】
【０００１】
関連出願の表示
本願は、２０１３年１１月１２日に提出された米国仮出願第６１／９０３２５１号明細書の利益を主張し、ここで参照することによりその全体が組み込まれる。
【０００２】
本発明は、一般に、電子機器に関し、より詳細には、プリント回路基板を通って引き回すケーブルを有する電子機器に関する。
【背景技術】
【０００３】
コンピュータ、ゲームコンソール、ＤＶＤプレーヤー、ＣＤプレーヤーなどのセットトップボックスに対する消費者および市場の選好は、これらの装置を小型にすることである。しかしながら、セットトップボックスは、より多くの機能を果たすことを求められるため、より多くの内部構成要素を含むことを必要とし、装置を小型に保つことは難しい。
【０００４】
無線アンテナは、多くのセットトップボックスのキー構成要素である。セットトップボックスの無線アンテナは、多くの場合、矩形形状であり、ボックスの内部に向けられて可能な限り最高の性能（例えば、信号送信／受信）を与える。これは、ボックス内の金属部品からのクリアランスが十分であり、アンテナの配置および向きがボックス内で可能な限り多様であることを意味する。さらに、アンテナに伴う静電放電のリスクを最小化するために、いくつかのセットトップボックスは、無線アンテナの縦方向を収容するために拡大される。代わりに、大きいセットトップボックスが消費者に受け入れられないとき、アンテナは水平に配置され、アンテナ性能の低下が起きる。従って、水平に配置されたアンテナを有するより小型のボックスを持つことは、最適に動作するアンテナを持たないボックスを受け入れることであることから、トレードオフが存在する。よって、セットトップボックスなどの電子機器に対する消費者選好に対して、可能な限り小さく、かつ薄くなるために、水平形状の因子がしばしば必要である。
【０００５】
加えて、多くの機能および多くの内部構成要素を含む薄い装置に対するニーズは、より大きな容積を持つより大きな装置を必要としない方法で装置内部のケーブルが効率的に引き回される必要があることも意味する。ケーブルは他の構成要素の障害になり得ない。
【発明の概要】
【０００６】
本原理の一実施形態は、少なくとも１つのケーブルガイドおよびケーブルダクトを有する装置エンクロージャを含む。プリント回路基板（ＰＣＢ）は、ケーブルダクトが上記ＰＣＢの穴から上記ＰＣＢを貫通するように、上記エンクロージャに搭載される。少なくとも１つの追加の構成要素は上記エンクロージャに搭載され、上記少なくとも１つのケーブルガイドおよび上記ケーブルダクトに取り付けられた少なくとも１本のケーブルに接続される。上記少なくとも１本のケーブルは、上記ＰＣＢの第１の面上の上記ダクトに入り、上記ＰＣＢの第２の面上の上記ダクトから出る。
【０００７】
本原理の一実施形態は、少なくとも１つのケーブルガイドおよびケーブルダクトを有するデバイスエンクロージャを含み、上記ダクトは、ダクト内部空間へのアクセスを提供する１つ以上の切欠きを有する。ＰＣＢは、ケーブルダクトが上記ＰＣＢの穴から上記ＰＣＢを貫通するように、エンクロージャ内に搭載される。アンテナはエンクロージャ内に搭載され、上記少なくとも１つのケーブルガイドに取り付けられ、上記ダクト内部空間を通る、少なくとも１本のケーブルに接続される。上記少なくとも１本のケーブルは上記ＰＣＢの第１の面上の上記ダクトに入り、上記ＰＣＢの第２の面上の上記ダクトから出て、摩擦により上記１つ以上の切欠きに固定される。
【０００８】
装置を組み立てる方法は、１つ以上のケーブルガイドと切欠きを持つケーブルダクトとを有するエンクロージャを提供するステップを有する。ケーブルは、ケーブルリードがダクト内部空間にあるように、上記１つ以上のまたは複数のケーブルガイドに取り付けられ、上記ケーブルダクトを通る。上記ＰＣＢは、上記ケーブルダクトが上記ＰＣＢの穴と整列するように、上記エンクロージャに取り付けられる。上記ケーブルリードは、上記ダクト内部空間を通って上記ＰＣＢの穴を出る。
【図面の簡単な説明】
【０００９】
本発明の技術は、添付の図面と併せて下記詳細な説明を考慮することにより容易に理解され得る。
【図１】本原理によるエンクロージャ内のケーブルガイドおよびケーブルダクトの図である。
【図２】本原理によるケーブルダクトおよび搭載されたプリント回路基板（ＰＣＢ）を有するエンクロージャの図である。
【図３】本原理によるケーブルガイドおよびケーブルダクトを有するエンクロージャを組み立てる方法のブロック／フロー図である。
【図４】本原理によるエンクロージャに取り付けられたＰＣＢの上面図である。
【図５】エンクロージャに関連したＰＣＢを示す、本原理の一実施形態の拡大図である。
【図６】本原理によるエンクロージャに取り付けられたＰＣＢの斜視図である。
【図７】本原理によるエンクロージャ内のケーブルガイドおよびケーブルダクトの図である。
【図８】本原理によるエンクロージャ内のケーブルガイドおよびケーブルダクトの図である。
【図９】本原理による取り付けられたＰＣＢを有するエンクロージャ内のケーブルダクトの断面図である。
【図１０】本原理による取り付けられたＰＣＢを有するエンクロージャ内のケーブルダクトの断面図である。
【図１１】本原理による取り付けられたＰＣＢを有するエンクロージャ内のケーブルダクトの斜視図である。
【図１２】本原理によるエンクロージャに取り付けられたＰＣＢの上面図である。
【図１３】本原理によるケーブルガイドおよびケーブルダクトを有するエンクロージャを組み立てる方法の他のブロック／フロー図である。
【００１０】
図面は発明の概念を説明することを目的とし、必ずしも説明する発明の唯一可能な構成ではないことは理解されるべきである。理解し易くするために、同一の符号は、図面に共通して同一の要素を示すように使用される。
【発明を実施するための形態】
【００１１】
本発明の実施形態は、小型のセットトップボックスの設計および組み立てを助ける構造を提供する。非常に僅かなクリアランスでの構成要素周りにおけるケーブルの引き回しの問題を解決するために、プリント回路基板（ＰＣＢ）構成要素の穴を提供する。しかしながら、この設計は、作業員が手作業でケーブルを穴に通すことが必要になるため、組み立てが難しい。長いケーブルおよび／または長いケーブルリードは、余分なケーブルの量を増やすことと引き換えにこの作業を容易にし、どちらもボックス内部の空間を取り、装置のコストを増やす。
【００１２】
従って、本実施形態は、セットトップボックスのエンクロージャに、ケーブルを固定し、それらをＰＣＢの穴に通すよう案内するダクトを提供する。これは、作業員がそれほど困難なくＰＣＢにケーブルを通すことを可能にし、エンクロージャ上にＰＣＢを配置するためのガイドを提供することを可能にする。
【００１３】
ここで、いくつかの図を通して同じ符号で類似または同一の要素を特定する図面を特定の詳細について参照し、まず図１に、例示的なエンクロージャ１０２の図を示す。エンクロージャ１０２は、エンクロージャ１０２の側面に沿ってケーブル１０８の安全な経路を提供するケーブルガイド１０４を含む。ケーブルガイド１０４は、ケーブル１０８が挿入されたとき摩擦を生じるような大きさにされることができ、それによって扱っている間にケーブル１０８が抜けることを防ぐ。ケーブルガイド１０４の開口は楔型とすることができ、ケーブル１０８の厚みより一様に僅かに狭い幅を持つか、固定部内に広がる狭い開口を持ち得る。接着剤または面ファスナーなど、ケーブル１０８をケーブルガイド１０４に固定する他の形態を使用することができることも考えられる。ケーブルガイド１０２は、エンクロージャの基底内面上に形成され得る。
【００１４】
ケーブル１０８は、切欠き１０７を有するケーブルダクトまたはコンジット１０６に引き込まれる。ケーブルは、ダクト１０６の側面の切欠き１０７を通ってケーブルダクト１０６に挿入され、摩擦か他の適当な固定機構よって固定される。切欠き１０７は、テーパとするか、ケーブル１０８の幅に対応するように選択された一様な幅を持つことができる。ケーブル１０８の自由端はケーブルリードを形成し、ケーブルリードはダクト１０６の筐体内部に保持され、ダクト１０６の上部開口から延出する。ケーブルダクト１０６は、ケーブルリード１１０をまとめるので、組み立てる間、それらをＰＣＢの穴に通し易くなる。リード１１０は、コネクターヘッドを有するケーブルの終端部とみなし得るか、コネクターヘッドそのものであり得る。ケーブルダクト１０６は、エンクロージャ１０２の一部として形成され得るか、エンクロージャが形成された後に接着剤または機械的係合により取り付けられる分離した部品であり得る。ケーブルダクト１０６は、エンクロージャの基底内面（base interior surface of the enclosure）上でかつケーブルガイド１０４と同じ面から形成され得る。
【００１５】
ここで図２を参照し、エンクロージャ１０２を、取り付けられたＰＣＢ２０２と共に示す。ＰＣＢは、エンクロージャ１０２のクリップ２０４とかみ合い、ＰＣＢの穴２０６は、ケーブルダクト１０６と整合する。ケーブルリード１１０は、ダクト１０６を通って出現し、ＰＣＢ２０２の適切な接点に接続される。アンテナ、ＰＣＢおよび適切な取り付け構造を含み、エンクロージャ１０２にアンテナを固定し得る、アンテナアセンブリ２０８も示されている。ケーブルガイド１０４は、ケーブル１０８用の固定通路を、アンテナアセンブリ２０８またはアンテナと同じタイプの配線要件を要求する他の電装品などの構成要素に提供する。このように、ケーブルガイド１０４は、エンクロージャ１０２またはＰＣＢ、例えば、スマートカードリーダー、電源などの任意の適切な構成要素に案内することができ、１つまたは複数のＰＣＢを通る複数のケーブルダクト１０６が存在することは認識されるべきである。
【００１６】
ケーブルダクト１０６は、さらにケーブルリード１１０の長さを、ＰＣＢ２０２上のまたはその先の第２の構成要素１１２に接続するのに必要な正確な長さとすることを可能にする。穴２０６を通してリード１１０を案内するためのダクト１０６が無ければ、装置を組み立てる人が穴２０６にリード１１０を手作業で通すことを可能にするために、追加の長さが必要となるだろう。より長いケーブルリード１１０は、ダクト１０６に固定または巻きつけられ、その結果、ＰＣＢ２０２が障害無しに取り付けられ得る。ＰＣＢ２０２を配置後に、ケーブルリード１１０を引き出し、接続することができる。よって、本実施形態は、より短いケーブル１０８を使用することができるので、組み立て時間と材料コストとの両方を抑える。
【００１７】
ここで、図３を参照し、装置の組み立て方法を示す。ブロック３０２では、上述のようにケーブルガイド１０４およびケーブルダクト１０６を有するエンクロージャ１０２を提供する。ブロック３０４において、ケーブルは、アンテナアセンブリ２０８などの装置構成要素からケーブルダクト１０６までガイド１０４内に敷設され、それらは例えば切欠き１０７によってケーブルダクト１０６に挿入される。ブロック３０６において、ケーブルリードは、ダクト１０６内でそれらを例えば巻き付けたり、折り畳んだりすること、またはそれらをダクト１０６の中心から延出させることによりケーブルダクト１０６に配置される。
【００１８】
ブロック３０８は、ケーブルダクト１０６の位置に対応する穴２０６を有する基板、例えばＰＣＢ２０２を提供する。ブロック３１０において、ケーブルリード１１０は穴２０６に通され、ブロック３１２において、基板２０２が取り付けられる。
【００１９】
ここで図４を参照し、エンクロージャ１０２に取り付けられたＰＣＢ２０２の上面図を示す。
【００２０】
図５を参照し、本原理の実施形態の拡大図を示し、エンクロージャ１０２に関連したＰＣＢ２０２を示す。
【００２１】
図６を参照し、エンクロージャ１０２に取り付けられたＰＣＢ２０２の斜視図を示す。ＰＣＢはリード１１０を延出する穴２０６を有する。
【００２２】
図７を参照し、図１の図をより遠距離から示し、ケーブル１０８、ケーブルガイド１０４およびアンテナエンクロージャ２０８の間の関係を説明する。
【００２３】
図８を参照し、図１の図をより詳細に示す。ケーブル１０８は、摩擦で、または圧迫によりケーブルダクト１０６の切欠き１０７に固定されるものとして示される。
【００２４】
図９を参照し、切欠き１０７を通って底部から入り、ＰＣＢ２０２より上の上部から出るケーブル１０８と共に、ケーブルダクト１０６の断面図を示す。
【００２５】
図１０を参照し、ケーブルダクト１０６の断面図を示す。ケーブルリード１１０はケーブルダクト１０６から出て、ＰＣＢ２０２上の取り付けポイントに接続される。
【００２６】
図１１を参照し、図１０の斜視図を示す。
【００２７】
図１２を参照し、ＰＣＢ２０２の上面図を示す。ＰＣＢ２０２は、穴２０６から出ているケーブルダクト１０６を有するエンクロージャ１０２に搭載される。ケーブル１０８は、それが穴２０６から出てケーブルリード１１０によってＰＣＢ２０２に接続される前にアンテナエンクロージャ２０８に取り付けられたものとして示される。
【００２８】
図１３を参照し、装置の組み立て方法を示す。ブロック４０１で、少なくとも１本のケーブル１０８のための少なくとも１つのケーブルガイド切欠き１０７を形成する少なくとも１つのケーブルダクトに沿って少なくとも１箇所に少なくとも１つのケーブルダクトに切れ目を入れることにより形成された少なくとも１つのケーブルダクト１０６を含む少なくとも１つのケーブルガイド１０４を形成または提供する。提供する特徴は、ケーブルガイドを有するエンクロージャへのアクセスを含むことを目的とする。それにまた、この実施形態において、ケーブルガイドまたはケーブルガイドの一部であるとしてケーブルダクトを考えることができる。
【００２９】
ブロック４０２で、少なくとも１つのケーブルを少なくとも１つのケーブルガイドおよび少なくとも１つのケーブルガイド切欠きに挿入する。この挿入ステップは、ケーブルリードを有するケーブルの一部を少なくとも１つのケーブルダクトの内部空間に折り畳みまたは巻き付けるステップを含むことができる。
【００３０】
ブロック４０３で、プリント回路基板２０２を通る少なくとも１つのケーブルダクトホール２０６を形成または提供する。提供することの特徴は、対応するケーブルダクトホール２０６を有するプリント回路基板へのアクセスを含むことを目的とする。
【００３１】
ブロック４０４で、少なくとも１本のケーブルの第１の終端をアンテナ２０８などの電装品に接続する。電装品は、プリント回路基板上にないように配置することができる。
【００３２】
ブロック４０５で、少なくとも１つのケーブルダクトを少なくとも１つのケーブルダクトホールに入れるように、プリント回路基板を装置に挿入する。
【００３３】
ブロック４０６で、少なくとも１本のケーブルの第２の終端を少なくとも１つのケーブルダクトに通す。
【００３４】
ブロック４０７で、エンクロージャ１０２内に、少なくとも１本のケーブル、少なくとも１つのケーブルガイド、プリント回路基板、少なくとも１つのケーブルダクトおよび電装品を配置する。エンクロージャは通風され得る。それにまた、エンクロージャを閉じる前に、少なくとも１本のケーブルの第２の終端は、プリント回路基板上の第２の電装品１１２に接続され得る。装置は、プリント回路基板上に格納した多くのさらなる電装品を有することができ、電源が入れられたとき装置をセットトップボックスとして作動することができる。
【００３５】
図３および図１３におけるステップは特定の順序で概説されているが、異なる順序でこれらのステップを実行することは開示した原理の範囲内であることは留意されるべきである。
【００３６】
平均ピクチャ依存（average picture dependency）を伴うおよび伴わない表示間の色補正に関するシステムおよび方法の説明した好ましい実施形態を有し、予測可能な創造的それらの差異（説明することを目的とし、限定しない）を許可すること、修正および変更が上記技術を踏まえて当業者によってなされ得ることは留意されたい。従って、添付の請求項によって概説されるように、本発明の範囲内において開示された発明の特定の実施形態において変更がなされ得ると解される。上記が本発明の様々な実施形態に関すると同時に、本発明の他のおよびさらなる実施形態が、これらの基本的な範囲から逸脱することなく考案され得る。
【図１】
2016537813.tif 000003
【図２】
2016537813.tif 000004
【図３】
2016537813.tif 000005
【図４】
2016537813.tif 000006
【図５】
2016537813.tif 000007
【図６】
2016537813.tif 000008
【図７】
2016537813.tif 000009
【図８】
2016537813.tif 000010
【図９】
2016537813.tif 000011
【図１０】
2016537813.tif 000012
【図１１】
2016537813.tif 000013
【図１２】
2016537813.tif 000014
【図１３】
2016537813.tif 000015
【国際調査報告】
2016537813.tif 000016